(57)【要約】   【課題】  試験の被対象となる電話装置の最大呼量を考慮しつつ、負荷性能の上限値を正確に計測する。  【解決手段】  発信側負荷試験装置１２の負荷試験処理部２０は、指定セッション数として設定された呼を発生し、電話装置１６を介して着信側負荷試験装置１４に送出する呼生成フェーズを制御する呼生成フェーズ制御手段と、呼の発生により生成されたセッションごとに、ランダムに、切断および着信側負荷試験装置１４への再接続、或いは、接続の継続である保留の何れかの制御を与える混合フェーズを制御する混合フェーズ制御手段と、混合フェーズの後、発生された呼を切断する解放フェーズを制御する解放フェーズ制御手段と、を有する。【選択図】  図１
2006180203.tif 000002
【特許請求の範囲】
【請求項１】
電話装置に、それぞれ、ネットワークを介して接続された発信側負荷試験装置、および、発信側負荷試験装置から電話装置を介して受信された信号に対して応答信号を返信可能に構成された着信側負荷試験装置を備えた電話装置試験システムであって、
前記発信側負荷試験装置が、指定セッション数として設定された呼を発生し、前記電話装置を介して前記着信側負荷試験装置に送出する呼生成フェーズを制御する呼生成フェーズ制御手段と、
前記呼の発生により生成されたセッションごとに、ランダムに、切断および着信側負荷試験装置への再接続、或いは、接続の継続である保留の何れかの制御を与える混合フェーズを制御する混合フェーズ制御手段と、
混合フェーズの後、前記発生された呼を切断する解放フェーズを制御する解放フェーズ制御手段と、を有することを特徴とする電話装置試験システム。
【請求項２】
前記混合フェーズ制御手段が、設定された、切断および再接続と、保留との配分比にしたがって、セッションごとにランダムに制御を与えることを特徴とする請求項１に記載の電話装置試験システム。
【請求項３】
前記混合フェーズ制御手段が、セッションごとに、前記配分比の総和と同数個の値のいずれかを、乱数として発生し、当該発生した乱数に基づいて、切断および再接続、或いは、保留の何れかの制御を与えることを特徴とする請求項２に記載の電話装置試験システム。
【請求項４】
前記混合フェーズ制御手段が、前記配分比が、１：ｎであるときに、０ないしｎの何れかの乱数を発生し、発生した乱数が、ｎ＋１で割り切れるか否かにしたがって、切断および再接続、或いは、保留の何れかの制御を与えることを特徴とする請求項３に記載の電話装置試験システム。
【請求項５】
前記混合フェーズ制御手段が、設定された間隔で、設定された回数だけ、セッションごとの制御を実行することを特徴とする請求項１ないし４の何れか一項に記載の電話装置試験システム。
【請求項６】
電話装置にそれぞれ接続された、発信側負荷試験装置と、発信側負荷試験装置から電話装置を介して受信された信号に対して応答信号を返信可能に構成された着信側負荷試験装置を用いた、当該電話装置の試験方法であって、
前記発信側負荷試験装置において、指定セッション数として設定された呼を発生し、前記電話装置を介して前記着信側負荷試験装置に送出するステップと、
前記呼の発生により生成されたセッションごとに、ランダムに、切断および着信側負荷試験装置への再接続、或いは、接続の継続である保留の何れかの制御を与えるステップと、
前記セッションに対して制御を与えた後、前記発生された呼を切断するステップと、を有することを特徴とする電話装置の試験方法。
【請求項７】
前記制御を与えるステップが、設定された、切断および再接続と、保留との配分比にしたがって、セッションごとにランダムに制御を与えるステップを含むことを特徴とする請求項６に記載の試験方法。
【請求項８】
前記制御を与えるステップが、セッションごとに、前記配分比の総和と同数個の値のいずれかを、乱数として発生し、当該発生した乱数に基づいて、切断および再接続、或いは、保留の何れかの制御を与えるステップを含むことを特徴とする請求項７に記載の電話装置試験方法。
【請求項９】
前記制御を与えるステップが、前記配分比が、１：ｎであるときに、０ないしｎの何れかの乱数を発生し、発生した乱数が、ｎ＋１で割り切れるか否かにしたがって、切断および再接続、或いは、保留の何れかの制御を与えるステップを含むことを特徴とする請求項８に記載の試験方法。
【請求項１０】
前記制御を与えるステップにおいて、設定された間隔で、設定された回数だけ、セッションごとの制御を実行することを特徴とする請求項５ないし９の何れか一項に記載の試験方法。
【発明の詳細な説明】
【技術分野】
【０００１】
本発明は、交換機や呼制御装置などの電話装置を試験するシステムおよび試験方法に関する。
【背景技術】
【０００２】
電話ネットワークを効率的に運用するためには、交換機やＩＰ電話サーバ（呼制御サーバ）などの電話装置を想定需要に対して必要適正数配備することが重要であり、そのためには、個々の電話装置の実負荷性能を正確に把握する必要がある。負荷性能として、代表的には、呼数（発着信回数）および呼量（同時セッション数）が挙げられる。たとえば、従来の試験システムにおいては、図８に示すように、発呼間隔および１呼あたりの保留時間を予め設定しておき、その設定にしたがって、電話装置に対して呼を発生させる。発呼間隔を小さくすることにより、呼数を増大させることができ、また、保留時間を増大させることにより、呼量を増大させることができる。したがって、試験者は、発呼間隔および保留時間を設定することで、所望の負荷を電話装置に与えることが可能である。非特許文献１においては、上述したような設定にしたがって、電話装置を試験するシステムが開示されている。
【非特許文献１】エンピレックス株式会社、"Voice over IPアプリケーションテストの統合プラットフォーム  Ｈａｍｍｅｒ  ＦＸ  ＩＰＴＭ"、[online]、［平成１６年１２月８日検索］、インターネット＜URL:http://hammer.empirix.co.jp/n_pdf/fxip.html＞
【発明の開示】
【発明が解決しようとする課題】
【０００３】
しかしながら、電話という不特定多数を対象としたサービスにおいて、等間隔での発呼や同一の保留時間という状態は起こりえない。したがって、より現実的な発呼の状態にすべく、発呼間隔や保留時間を、希望する最大の呼数および呼量に対応するように設定し、かつ、発呼間隔および保留時間をそれぞれランダムにすることで、不特定多数からの負荷を擬似することも可能である。
【０００４】
ところが、ランダムにすることで緩急の差も著しく大きくなり、実際の負荷数値の計算・予測は非常に困難となる。たとえば、保留時間が平均よりも長いような呼が、平均より短い間隔で発生するような状態が集中した場合には、試験の被対象の電話装置の設計上の最大呼量を超えてしまう場合もある。したがって、上記ランダム性を単に導入しただけでは、限界呼数や限界呼量を正確に実測することが困難であるという問題があった。つまり、従来の技術では、ランダムネスを確保すると、電話装置の最大呼量を考慮することが不可能であり、その一方、電話装置の最大呼量を考慮すると、前述したように呼数や呼量に規則性を持たさざるを得ない。
【０００５】
本発明は、試験の被対象となる電話装置の最大呼量を考慮しつつ、負荷性能の上限値を正確に計測することができる試験システムおよび試験方法を提供することを目的とする。
【課題を解決するための手段】
【０００６】
本発明の目的は、電話装置に、それぞれ、ネットワークを介して接続された発信側負荷試験装置、および、発信側負荷試験装置から電話装置を介して受信された信号に対して応答信号を返信可能に構成された着信側負荷試験装置を備えた電話装置試験システムであって、前記発信側負荷試験装置が、指定セッション数として設定された呼を発生し、前記電話装置を介して前記着信側負荷試験装置に送出する呼生成フェーズを制御する呼生成フェーズ制御手段と、前記呼の発生により生成されたセッションごとに、ランダムに、切断および着信側負荷試験装置への再接続、或いは、接続の継続である保留の何れかの制御を与える混合フェーズを制御する混合フェーズ制御手段と、混合フェーズの後、前記発生された呼を切断する解放フェーズを制御する解放フェーズ制御手段と、を有することを特徴とする電話装置試験システムにより達成される。
【０００７】
本発明によれば、たとえば、電話装置の最大呼量とほぼ等しい指定セッション数だけの呼を発生し、かつ、指定セッション数を越えない範囲で、それぞれのセッションが、ランダムに、切断および再接続され、または、継続状態が維持される。したがって、設定された指定セッション数を超えずに不特定多数からの発呼を擬似した負荷を電話装置に対して与えることができ、電話装置の動作をより適切に検証することができる。
【０００８】
好ましい実施態様においては、前記混合フェーズ制御手段が、設定された、切断および再接続と、保留との配分比にしたがって、セッションごとにランダムに制御を与える。これにより、試験者は所望の平均保留時間を設定することができる。
【０００９】
より好ましい実施態様においては、前記混合フェーズ制御手段が、セッションごとに、前記配分比の総和と同数個の値のいずれかを、乱数として発生し、当該発生した乱数に基づいて、切断および再接続、或いは、保留の何れかの制御を与える。たとえば、配分比が、１：ｎであるときに、混合フェーズ制御手段は、０ないしｎの何れかの乱数を発生し、発生した乱数が、ｎ＋１で割り切れるか否かにしたがって、切断および再接続、或いは、保留の何れかの制御を与える。
【００１０】
また、好ましい実施態様においては、前記混合フェーズ制御手段が、設定された間隔で、設定された回数だけ、セッションごとの制御を実行する。これにより、試験者は設定すべく間隔を可変させることでも、所望の平均保留時間を設定することができる。
【００１１】
また、本発明の目的は、電話装置にそれぞれ接続された、発信側負荷試験装置と、発信側負荷試験装置から電話装置を介して受信された信号に対して応答信号を返信可能に構成された着信側負荷試験装置を用いた、当該電話装置の試験方法であって、前記発信側負荷試験装置において、指定セッション数として設定された呼を発生し、前記電話装置を介して前記着信側負荷試験装置に送出するステップと、前記呼の発生により生成されたセッションごとに、ランダムに、切断および着信側負荷試験装置への再接続、或いは、接続の継続である保留の何れかの制御を与えるステップと、前記セッションに対して制御を与えた後、前記発生された呼を切断するステップと、を有することを特徴とする電話装置の試験方法によっても達成される。
【００１２】
好ましい実施態様においては、前記制御を与えるステップが、設定された、切断および再接続と、保留との配分比にしたがって、セッションごとにランダムに制御を与えるステップを含む。
【００１３】
より好ましい実施態様においては、前記制御を与えるステップが、セッションごとに、前記配分比の総和と同数個の値のいずれかを、乱数として発生し、当該発生した乱数に基づいて、切断および再接続、或いは、保留の何れかの制御を与えるステップを含む。より具体的には、たとえば、制御を与えるステップにおいて、前記配分比が、１：ｎであるときに、０ないしｎの何れかの乱数を発生し、発生した乱数が、ｎ＋１で割り切れるか否かにしたがって、切断および再接続、或いは、保留の何れかの制御を与えれば良い。
【００１４】
また、好ましい実施態様においては、前記制御を与えるステップにおいて、設定された間隔で、設定された回数だけ、セッションごとの制御を実行する。
【発明の効果】
【００１５】
本発明によれば、試験の被対象となる電話装置の最大呼量を考慮しつつ、負荷性能の上限値を正確に計測することができる試験システムおよび試験方法を提供することが可能となる。
【発明を実施するための最良の形態】
【００１６】
以下、添付図面を参照して、本発明の実施の形態について説明する。図１は、本実施にかかる電話装置試験システムの概略を示すブロックダイヤグラムである。本実施の形態においては、いわゆるＶｏＩＰ(Voice over IP)を利用したＩＰ電話のＩＰ電話サーバなど、ＩＰ電話用の電話装置を試験するように構成されているが、これに限定されるものではなく、通常の電話の交換機など他の電話装置の試験に本発明を適用することは可能である。
【００１７】
図１に示すように、本実施の形態にかかる電話装置試験システムは、発信側負荷試験装置１２と着信側負荷試験装置１４とを備える。発信側負荷試験装置１２と着信側負荷試験装置１４との間に、電話装置１６がＩＰネットワーク１８を介して接続される。
【００１８】
本実施の形態においては、発信側負荷試験装置１２が、設定に応じた呼を発生するために必要な処理を実行し、電話装置試験システムの主たる構成部分をなす。その一方、着信側負荷試験装置１４は、発信側負荷試験装置１２から電話装置１６を介して受信した信号に対して応答する機能を有していれば足りる。
【００１９】
図１に示すように、本実施の形態において、発信側負荷試験装置１２は、負荷試験処理部２０、呼制御スタック部２２、回線インタフェース（Ｉ／Ｆ）２４およびセッション管理データテーブル２６を有する。負荷試験処理部２０は、電話装置１６に対して呼接続制御負荷を与えるために必要な処理を実行する。呼制御スタック部２２は、回線Ｉ／Ｆ２４の呼接続（たとえば、発呼、応答、切断）を制御する。また、回線Ｉ／Ｆ２４は、ＩＰネットワーク１８と直接接続されている。
【００２０】
着信側負荷試験装置１４は、呼制御スタック部４２および回線Ｉ／Ｆ４４を有する。呼制御スタック部４２および回線Ｉ／Ｆ４４は、発信側負荷試験装置１２のものと同等の機能を有する。なお、着信側負荷試験装置１４は、大量の着信に対して自動的に応答信号を出力する機能があれば足りる。
【００２１】
電話装置１６は、電話サービス部３０、呼制御スタック部３２および回線Ｉ／Ｆ３４を有する。呼制御スタック部３２および回線Ｉ／Ｆ３４は、発信側負荷試験装置１２のものとほぼ同様である。電話サービス部３０は、たとえば、単純な呼制御であるか、或いは、フリーダイヤルなど高機能な呼接続であるかの指示を、呼制御スタック部３２に与える。
【００２２】
図２は、本実施の形態にかかる発信側負荷試験装置１２における処理の概略を示す図である。図２に示すように、本実施の形態においては、発信側負荷試験装置１２が、設定された条件にしたがって、指定されたセッション数まで順次、呼を発生させ（符号２０１参照）、その後、後述するようにセッションごとにその状態を制御し（符号２０２参照）、その後、順次、呼を切断していく（符号２０３参照）。本実施の形態では、呼を発生させるフェーズを呼生成フェーズ、その後のセッションごとの状態を制御するフェーズを、当該フェーズにおいてはセッション毎に種々の状態が発生するため混合フェーズ、呼を切断するフェーズを解放フェーズと称する。また、それぞれの状態での発信側負荷試験装置１２の動作モードを、呼発生モード、混合モード、および、解放モードとも称する。混合フェーズにおいては、発生した呼に対応するセッションのそれぞれに対して、所定の周期で、切断および再発呼、或いは、保留の何れかの制御を与える。また、配分比は、後述するように、混合フェーズにおいて、それぞれのセッションに制御を与える際に、切断および再発呼させるものと、保留、つまり、接続された状態を継続させるものとの比率に相当する。
【００２３】
図３〜図５は、本実施の形態にかかる発信側負荷試験装置１２にて実行される処理を示し、それぞれ、発信側負荷装置１２における動作が、それぞれ、呼発生モード、混合モードおよび解放モードであるときの処理に相当する。なお、試験者は、負荷試験の開始に先立って、指定セッション数（発生する呼量）、試験サイクル回数、サイクル間隔、および、切断・再発呼：保留の配分比を含む試験条件を設定する。指定セッション数は、電話装置の最大呼量或いはこれより若干小さめの数値を与えるのが望ましい。また、試験サイクル回数とは、混合フェーズにおいて、セッションごとの状態を制御する処理の回数、サイクル間隔とは、セッションごとの状態を制御する処理の実行間隔をいう。
【００２４】
図３に示すように、発信側負荷試験装置１２の負荷試験処理部２０は、負荷試験が開始されると、まず、呼発生モードで動作する。呼発生モードにおいて、負荷試験処理部２０は、セッション管理データテーブル２６のレコードを特定するためのセッション管理番号を初期化する（ステップ３０１）。
【００２５】
図６は、本実施の形態にかかるセッション管理データテーブル２６のデータ構造の例を示す図である。図６に示すように、セッション管理データテーブル２６のレコード（たとえば、符号６０１、６０２参照）は、セッション管理番号により一意的に特定することができる。上述した試験者により設定された試験条件のうち、指定セッション数だけのレコードを生成する。また、発信電話番号として、発信側負荷試験装置１２が発することができる番号をレコードに格納し、かつ、着信電話番号として、着信側負荷試験装置１４が受信することができる番号をレコードに格納しておく。呼識別情報は、図３や図４に示す処理において、呼制御スタック部２２より採取され、レコード中に格納される。
【００２６】
負荷試験処理部２０は、セッション管理データテーブル２６中、セッション管理番号が示すレコードを参照して、着信電話番号を特定し、呼制御スタック部２２が、特定された着信電話番号宛てに発信信号を送出する（ステップ３０２）。本実施の形態においては、発信信号として、たとえば、「invite」が送出される。図示しないが、着信側負荷試験装置１４は、発信信号を受信すると、呼制御スタック部４２は応答信号（たとえば、「200OK」）を、発信側負荷試験装置１２に対して送出する。
【００２７】
発信側負荷試験装置１２の呼制御スタック部２２が、着信側負荷試験装置１４からの応答信号を受信すると（ステップ３０３）、負荷試験処理部２０は、呼制御スタック部２２より採取した呼識別情報を、セッション管理データテーブル２６の該当レコードに登録する（ステップ３０４）。次いで、セッション管理番号が「１」だけ加算され（ステップ３０５）、指定セッション数に相当する分だけの呼を生成していない場合には（ステップ３０６でノー(No)）、ステップ３０２に戻る。ステップ３０６でイエス(Yes)と判断された場合には、発信側負荷試験装置１２は、呼発生モードから混合モードに移行し、図４の処理を実行する。
【００２８】
図４に示すように、負荷試験処理部２０は、混合モードの下でも、まず、セッション管理番号を初期化する（ステップ４０１）。負荷試験処理部２０は、セッション管理データテーブル２６中、セッション管理番号が示すレコードを読み出し（ステップ４０２）、次いで、試験条件中の切断・再発呼：保留の配分比の和を引数として、乱数を発生させる（ステップ４０３）。たとえば、「切断・再発呼：保留＝１：１」であれば、「２」を引数として、「０」または「１」をランダムに出現させる。或いは、「切断・再発呼：保留＝１：２」であれば、「０」〜「２」のいずれかをランダムに出現させる。このように、「切断・再発呼：保留＝１：ｎ」であれば、「１＋ｎ」を引数として、「０」〜「ｎ」の値をランダムに出現させれば良い。
【００２９】
次いで、負荷試験処理部２０は、発生させた乱数を、配分比の総和で割り切れるものであるか否かを判断する（ステップ４０４）。ステップ４０４でイエス(Yes)と判断された場合には、呼制御スタック部２２は、セッション管理データテーブル２６中の該当レコードに含まれる着信電話番号宛てに切断信号を送出する（ステップ４０５）。本実施の形態においては、切断信号として「bye」が送出される。その後、呼制御スタック部２２は、同じ着信電話番号宛てに発信信号を送出する（ステップ４０６）。つまり、乱数が配分比の総和で割り切れた場合には、そのセッションについて、「切断・再発呼」という制御を与える。その一方、ステップ４０４でノー(No)、つまり、乱数が配分比の総和で割り切れない場合には、そのセッションについては、「保留」、つまり、接続された状態を保持する。
【００３０】
着信側負荷試験装置１４は、切断信号を受信すると、それに応答して、切断応答信号を、発信側負荷試験装置１２に対して送出し、さらに、発信信号を受信すると、それに応答して、応答信号を発信側負荷試験装置１２に対して送出する。
【００３１】
発信側負荷試験装置１２において、応答信号を受信すると（ステップ４０７）、負荷試験処理部２０は、新たに呼制御スタック部より採取した呼識別情報を、セッション管理データテーブル２６の該当レコードに再登録する（ステップ４０８）。本実施の形態においては、切断・再発呼によって、新たなセッションが開始されるため、新たな呼識別情報を再登録している。
【００３２】
「切断・再発呼：保留＝１：２」の場合には、「０」ないし「２」の３つの数のいずれかをランダムに発生させる。たとえば、発生した乱数が「０」であれば、総和「１＋２＝３」で割り切れるため、「切断・再発呼」という制御が与えられる。その一方、発生した乱数が「１」または「２」であれば、「３」で割り切れないため、「保留」という制御が与えられる。これにより、セッション全体をみると、１：２の配分比で、切断・再発呼或いは保留の制御が与えられることになる。また、個々のセッションをみると、ランダムに、切断・再発呼、或いは、保留の何れかの制御が与えられることになる。
【００３３】
ステップ４０４〜４０８の処理の後、負荷試験処理部２０は、指定セッションすべての呼を制御したか否かを判断し（ステップ４０９）、まだ制御していないセッションが存在する場合には（ステップ４０９でノー(No)）、セッション管理番号に「１」を加えて（ステップ４１０）、ステップ４０２に戻る。その一方、ステップ４０９でイエス(Yes)と判断された場合には、設定条件中の試験サイクル回数だけ、処理を実行したか否かが判断される（ステップ４１１）。ステップ４１１でノー(No)と判断された場合には、設定条件中のサイクル間隔にしたがって、次の処理タイミングに達するまで待機する（ステップ４１２）。その一方、ステップ４１２でイエス(Yes)と判断された場合には、混合モードから解放モードに移行する。
【００３４】
このようにして、本実施の形態にかかる混合フェーズでは、それぞれのセッションについて、順次、配分比にしたがって、かつ、ランダムに、切断・再発呼、或いは、保留という制御が与えられ、かつ、このような処理が、設定されたサイクル間隔で、設定された試験サイクル回数だけ実行される。
【００３５】
図７（ａ）は、混合フェーズにおけるそれぞれのセッションの状態の一例を示す図である。図７（ａ）においては、設定条件において、指定セッション数が７０００、サイクル間隔が９０秒、試験サイクル回数が４０回と設定されている。したがって、混合フェーズに移行してから、９０秒、１８０秒、２７０秒、が経過するときに、図４に示す処理が実行され、セッションごとに、切断および再発呼をするか、或いは、セッションを継続する保留とするかが、ランダムに決定される。図７（ａ）の例のあるセッションにおいて、同じハッチングや網点が付されているものは、継続されたセッションを意味する（たとえば、符号７０１参照）。セッション１に関して（符号７０１参照）、９０秒が経過した際の処理、および、１８０秒が経過した際の処理で、ともに「保留」という制御が与えられている。その一方、セッション２に関しては（符号７０２および７０３参照）、９０秒が経過した際の処理で、「切断・再発呼」という制御が与えられ、新たなセッションが生じるが、１８０秒が経過した際の処理では、「保留」という制御が与えられる。
【００３６】
なお、図７（ａ）においては、９０秒、１８０秒という、サイクル間隔に相当する時刻において、セッション１〜セッション７０００のそれぞれに対して同時に制御が加えられているように表記しているが、実際には、図７（ｂ）に示すように、セッションに対する制御は、順次与えられることになる（符号７１０参照）。このように、本実施の形態の混合フェーズにおいては、種々の発呼タイミングで、かつ、種々の保留時間のセッションを生じさせることができ、かつ、全体のセッション数は、設定された指定セッション数に極めて近い状態を継続することができる。
【００３７】
図５に示すように、負荷試験処理部２０は、解放モードの下でも、まず、セッション管理番号を初期化する（ステップ５０１）。次いで、負荷試験処理部２０は、セッション管理データテーブル２６中、セッション管理番号が示すレコードを読み出し（ステップ５０２）、着信電話番号を特定し、呼制御スタック部２２が、特定された着信電話番号宛てに切断信号を送出する（ステップ５０３）。着信側負荷試験装置１４は、切断信号を受信すると、その呼制御スタック部４２が切断応答信号を発信側負荷試験装置１２に対して送出する。
【００３８】
発信側負荷試験装置１２の呼制御スタック部２２が、着信側負荷試験装置１４からの切断応答信号を受信すると（ステップ５０４）、次のセッションに関して呼を切断する、つまり、解放する処理を実行するために、負荷試験処理部２０は、セッション管理番号に「１」を加え（ステップ５０５）、指定セッション数に相当する分だけ、解放をしていない場合には（ステップ５０６でノー(No)）、ステップ５０２に戻る。このようにして、指定セッション数分だけ切断処理が実行され、負荷試験が終了する。
【００３９】
本実施の形態にしたがって負荷試験を実施した例を以下に示す。設定条件は以下の通りである。
【００４０】
指定セッション数＝７０００
試験サイクル回数＝４０回
サイクル間隔＝９０秒
切断・再発呼：保留の配分比＝１：１
上記設定条件の負荷試験において、混合フェーズは３６００秒＝１時間となる。また、上記設定条件にしたがうと、計算上は、平均保留時間は１８０秒、１４００００ＢＨＣＡ(Busy Hour Call Attempt)の呼が発生する。
【００４１】
実際の負荷試験の結果、１４０１１９ＢＨＣＡの呼数、７０００同時セッション接続の高負荷状態で、以下の保留時間の呼を発生させることができた。
【００４２】
９０秒                                            ：７１８０７件
１８０秒、２７０秒、３６０秒                      ：６０５１３件
４５０秒、５４０秒、６３０秒、７２０秒            ：  ７３３４件
８１０秒、９００秒、９９０秒、１０８０秒          ：    ４４５件
１１７０秒、１２６０秒、１３５０秒、１４４０秒    ：      １６件
１５３０秒、１６２０秒、１７１０秒                ：        ４件
平均保留時間は、約１８０秒となった。
【００４３】
上記負荷試験の結果を見ると、本実施の形態において、保留時間が異なる大量の呼をランダムに発生できることがわかる。
【００４４】
本実施の形態に関して、指定セッション数を呼量、ＢＨＣＡを呼数と考えることができる。たとえば、上記例によると、指定セッション数が７０００であるため、試験したい限界呼量となる。また、配分比を１：１としたことから、平均保留時間は１８０秒と考えることができ、その結果、呼数は１４００００ＨＢＣＡとなる。たとえば、呼数を上げたいときには、配分比を２：１にすることで、１８６６６６ＢＨＣＡとすることができる。このように、本実施の形態によれば、呼数、呼量を電話装置の設計上の限界値近くに維持しつつ、不特定多数からの発呼を擬似した負荷を電話装置に与えることができる。したがって、試験の被対象である個々の電話装置が実運用でも設計どおりに動作することを検証することができる。また、設計どおりに動作しない場合において、発生する負荷を下げて正常動作する呼数および呼量を見出したいときにも、不特定多数からの発呼を擬似するという前提を変えることなく、試験したい呼量を小さくすることで、試験スケールを簡単に小さくすることができる。よって、試験期間を短縮でき、電話装置を利用したサービス開始時期を早めることも可能となる。
【００４５】
また、本実施の形態においては、指定セッション数、配分比、サイクル間隔などを変更することにより、所望の呼数および呼量を設定することができる。上述した事項に加えて、たとえばサイクル間隔を変更することにより、平均保留時間を調整することもできる。
【００４６】
本発明は、以上の実施の形態に限定されることなく、特許請求の範囲に記載された発明の範囲内で、種々の変更が可能であり、それらも本発明の範囲内に包含されるものであることは言うまでもない。
【００４７】
前述したように、本実施の形態においては、ＶｏＩＰを利用したＩＰ電話において、ＩＰ電話サーバを試験するために本発明を適用しているが、これに限定されるものではなく、通常の電話の電話装置を試験するために、本発明を適用することも可能である。
【００４８】
また、本実施の形態においては、切断・再発呼：保留の配分比を、「１：ｎ」と設定できるように構成しているが、これに限定されるものではなく、「ｍ：ｎ」と設定しても良い。また、乱数の発生や、配分比にしたがってランダムにセッションを制御する具体的な処理も上記実施の形態に記載したものに限定されない。
【図面の簡単な説明】
【００４９】
【図１】図１は、本実施にかかる電話装置試験システムの概略を示すブロックダイヤグラムである。
【図２】図２は、本実施の形態にかかる発信側負荷試験装置における処理の概略を示す図である。
【図３】図３は、本実施の形態にかかる発信側負荷試験装置にて実行される処理を示す図である。
【図４】図４は、本実施の形態にかかる発信側負荷試験装置にて実行される処理を示す図である。
【図５】図５は、本実施の形態にかかる発信側負荷試験装置にて実行される処理を示す図である。
【図６】図６は、本実施の形態にかかるセッション管理データテーブルのデータ構造の例を示す図である。
【図７】図７（ａ）は、混合フェーズにおけるそれぞれのセッションの状態の一例を示す図、図７（ｂ）は、セッションのそれぞれに対して与えられる処理タイミングを説明する図である。
【図８】図８は、従来試験装置における呼の発生の一例を示す図である。
【符号の説明】
【００５０】
１２    発信側負荷試験装置
１４    着信側負荷試験装置
１６    電話装置
２０    負荷試験処理部
３０    電話サービス部
２２、３２、４２    呼制御スタック部
２４、３４、４４    回線Ｉ／Ｆ
２６    セッション管理データテーブル
【図１】
2006180203.tif 000003
【図２】
2006180203.tif 000004
【図３】
2006180203.tif 000005
【図４】
2006180203.tif 000006
【図５】
2006180203.tif 000007
【図６】
2006180203.tif 000008
【図７】
2006180203.tif 000009
【図８】
2006180203.tif 000010